(57)【要約】【課題】独居者に異変が生じた可能性がある場合にタイムラグなく通知を行うことができるテレビジョン受像機を提供する。【解決手段】テレビ番組を選局するチューナ部２と、視聴パターンを記憶するフラッシュメモリ１０と、少なくとも電源のＯＮ／ＯＦＦ及びチャンネル変更を監視し、その監視結果に基づいて、前記視聴パターンに属するテレビ番組が前記視聴パターン通りに前記チューナによって選局されて視聴されているかを確認し、前記視聴パターン通りに視聴されていなければ、例外状況が発生した旨をネットワークインタフェース１１を介して監視者用端末に送信する制御部６とを備えるテレビ受像機。【選択図】図１
2009077351.tif 000002
【特許請求の範囲】
【請求項１】
テレビ番組を選局するチューナと、
視聴パターンを記憶する記憶部と、
少なくとも電源のＯＮ／ＯＦＦ及びチャンネル変更を監視する監視部と、
前記監視部での監視結果に基づいて、前記視聴パターンに属するテレビ番組が前記視聴パターン通りに前記チューナによって選局されて視聴されているかを確認し、前記視聴パターン通りに視聴されていなければ、例外状況が発生した旨を監視者用端末に送信する送信部とを備えるテレビ受像機。
【請求項２】
前記視聴パターンの一部又は全部が、前記監視部での監視結果に基づく視聴履歴から抽出されたものである請求項１に記載のテレビ受像機。
【請求項３】
前記記憶部が、定期報告送信条件を記憶し、
前記送信部が、前記定期報告送信条件を満たした場合に、前回の定期報告から今回の定期報告迄の前記監視部での監視結果に基づく視聴履歴を定期報告として前記監視者用端末に送信する請求項１又は請求項２に記載のテレビ受像機。
【請求項４】
前記テレビ受像機、前記監視者用端末がそれぞれ監視設定のオン、オフ切り替えが可能であり、
前記テレビ受像機の監視設定と前記監視者用端末の監視設定がともにオンである場合にのみ、前記監視部での監視を有効にする請求項１〜３のいずれかに記載のテレビジョン受像機。
【発明の詳細な説明】
【技術分野】
【０００１】
本発明は、テレビジョン受像機に関する。
【背景技術】
【０００２】
高齢者や子供などが一人暮らしをしている場合に、その身内は一人暮らしをしている者の状況を確認したいという要望を有している。しかし、一人暮らしをしている者に対して毎回電話などにより状況を確認するのは手間がかかり、さらに一人暮らしをしている者に異常が発生した時には、電話などにより状況を確認しようとしても連絡を取ることが困難になる。
【０００３】
このため、独居者の安否を確認することができる装置が種々提案されている（例えば、特許文献１乃至特許文献３参照）。
【０００４】
【特許文献１】特開２００５−２２８０１２号公報
【特許文献２】特開２００２−３１４７１４号公報
【特許文献３】特開２００５−２８４８１５号公報
【発明の開示】
【発明が解決しようとする課題】
【０００５】
しかし、従来の独居者の安否を確認することができる装置は、独居者の異変に気付くのが遅くなるといった問題があった。
【０００６】
例えば、特許文献１で提案されている居住者の安否監視システムは、操作日時が所定の時間を経過している管轄利用状況情報を抽出しているため、操作日時が所定の時間を経過してからでなければ、居住者の異変に気付くことができないという問題があった。
【０００７】
また、特許文献２で提案されている安否確認方法およびデジタルテレビジョン受信装置は、対象者が何日間、電源のオン・オフやチャンネルの切り替えなどの操作をしていなかったら、異常状態にあると判断すべきかという異常状態判定条件を設定しているため、対象者が異常状態判定条件での設定期間操作をしなかった後でしか、対象者の異常に気付くことができないという問題があった。
【０００８】
また、特許文献３で提案されている安否情報通知システムは、人体検知信号と家庭機器を遠隔操作するための遠隔操作信号とをダブルチェックし、人体検知信号及び遠隔操作信号を予め設定された時間を越えて受信しなかった場合に限って異常の判定を行っているため、独居者が予め設定された時間を越えて遠隔操作をしなかった後でしか、独居者の異常に気付くことができないという問題があった。
【０００９】
本発明は、上記の状況に鑑み、独居者に異変が生じた可能性がある場合にタイムラグなく通知を行うことができるテレビジョン受像機を提供することを目的とする。
【課題を解決するための手段】
【００１０】
上記目的を達成するために本発明に係るテレビジョン受像機は、テレビ番組を選局するチューナと、視聴パターンを記憶する記憶部と、少なくとも電源のＯＮ／ＯＦＦ及びチャンネル変更を監視する監視部と、前記監視部での監視結果に基づいて、前記視聴パターンに属するテレビ番組が前記視聴パターン通りに前記チューナによって選局されて視聴されているかを確認し、前記視聴パターン通りに視聴されていなければ、例外状況が発生した旨を監視者用端末に送信する送信部とを備える構成とする。
【００１１】
視聴パターン通り視聴されていなければ、独居者に異変が生じた可能性があるが、このような状況になった場合に、上記構成によると、例外状況が発生した旨をタイムラグなく監視者用端末に通知することができる。なお、例えば旅行のために不在であるなど、独居者に異変が生じていない場合でも視聴パターン通り視聴されないことはあるが、独居者に異変が生じた可能性がある場合にタイムラグなく監視者用端末に通知することが何より肝要であるので、独居者に異変が生じていないときに例外状況が発生した旨が通知される場合があることは許容される。
【００１２】
また、上記構成のテレビ受像機において、前記視聴パターンの一部又は全部が、前記監視部での監視結果に基づく視聴履歴から抽出されたものであるようにしてもよい。
【００１３】
このような構成によると、ユーザが視聴パターンの入力操作を行わなくても、ユーザの視聴実態に合わせて自動的に視聴パターンが作成されるので、利便性が向上する。
【００１４】
また、上記各構成のテレビ受像機において、前記記憶部が、定期報告送信条件を記憶し、前記送信部が、前記定期報告送信条件を満たした場合に、前回の定期報告から今回の定期報告迄の前記監視部での監視結果に基づく視聴履歴を定期報告として前記監視者用端末に送信するようにしてもよい。
【００１５】
このような構成によると、独居者に異変が生じていない場合でも、監視者が定期的に被監視者の状況を把握することができる。
【００１６】
また、上記各構成のテレビ受像機において、前記テレビ受像機、前記監視者用端末がそれぞれ監視設定のオン、オフ切り替えが可能であり、前記テレビ受像機の監視設定と前記監視者用端末の監視設定がともにオンである場合にのみ、前記監視部での監視を有効にするようにしてもよい。
【００１７】
このような構成によると、テレビジョン受像機側、監視者用端末側双方で監視設定がオンになったときに初めて監視が開始されるので、被監視者のプライバシーを保護することができる。
【発明の効果】
【００１８】
本発明に係るテレビジョン受像機によると、視聴パターン通り視聴されていなければ、直ちに例外状況が発生した旨を監視者用端末に送信するので、独居者に異変が生じた可能性がある場合にタイムラグなく通知を行うことができる。
【発明を実施するための最良の形態】
【００１９】
本発明の実施形態について図面を参照して以下に説明する。
【００２０】
テレビ放送では、連続ドラマやニュースなど、決まった時間に視聴する事になる番組が多数存在する。本発明は、このことに注目して、独居者に異変が生じた可能性がある場合にタイムラグなく通知を行うことを可能にしている。なお、在宅することが多い一人暮らしの高齢者の場合、決まったパターンでテレビ放送を視聴することが多くなると想定されるため、本発明は一人暮らしの高齢者の安否確認に特に有用である。
【００２１】
本発明に係るテレビジョン受像機の概略構成例を図１に示す。図１に示すテレビジョン受像機１は、地上デジタル放送受信対応となっており、チューナ部２と、信号処理部３と、表示部４と、音声出力部５と、制御部６と、リモコン受信部７と、操作部８と、内部時計９と、フラッシュメモリ１０と、ネットワークインタフェース１１とを備えている。チューナ部２にはアンテナ１２が外部接続される。
【００２２】
アンテナ１２は、地上デジタル放送の放送電波を受信し、受信放送電波に応じた高周波信号をチューナ部２に出力する。チューナ部２は、制御部６の指示に従って、アンテナ１２から入力された高周波信号から希望チャンネルに対応する周波数の信号を選局し、その選局された信号を中間周波信号にダウンコンバートし、その中間周波信号をデジタル復調してトランスポートストリームを取り出し信号処理部３に出力する。
【００２３】
信号処理部３は、分離回路３Ａと、映像信号処理回路３Ｂと、音声信号処理回路３Ｃとを有している。分離回路３Ａは、トランスポートストリームから映像データと音声データをそれぞれ分離する。映像信号処理回路３Ｂは、分離回路３Ａによって分離された映像データをデコードし、デコードされた映像データをアナログ映像信号に変換し、アナログ映像信号を表示部４に出力する。また、信号処理部３は、制御部６の指示に従って、ＯＳＤ（On Screen Display）データを生成しアナログ映像信号に変換して表示部４に出力する。音声信号処理回路３Ｃは、分離回路３Ａによって分離された音声データをデコードし、デコードされた音声データをアナログ音声信号に変換し、アナログ音声信号を音声出力部５に出力する。
【００２４】
表示部４は、信号処理部３の映像信号処理回路３Ｂから入力されたアナログ映像信号に基づき映像を表示する。音声出力部５は、信号処理部３の音声信号処理回路３Ｃから入力されたアナログ音声信号に基づき音声を発する。
【００２５】
リモコン受信部７は、不図示のリモコン送信機から赤外線信号を受信しユーザのリモコン操作に対応するコード信号を制御部６に出力する。また、各種操作ボタンからなる操作部８は、ユーザが押圧した操作ボタンに対応するコード信号を制御部６に出力する。
【００２６】
内部時計９は、現在日時の計時をする。フラッシュメモリ１０には各種設定情報が記憶される。ネットワークインタフェース１１は、電話回線やケーブル回線などでネットワークと接続し、監視者用端末（例えば、管理者が所有する携帯電話機）との通信を行う。なお、ネットワークインタフェース１１は、電話線やケーブル線を接続するものに限らず、無線通信端末であって、無線によりネットワークと接続し、監視者用端末との通信を行うものであってもよい。
【００２７】
図１に示すテレビジョン受像機１を用いた安否確認の基本設定に関する動作について図２に示すフローチャートを参照して説明する。
【００２８】
図１に示すテレビジョン受像機１では、電源のＯＮ／ＯＦＦ、チャンネル変更などの操作状況を監視する監視設定のオン、オフが、ユーザによるリモコン操作や操作部８のボタン操作により切り替え可能となっている。また、図１に示すテレビジョン受像機１では、監視情報の送り先（例えば、監視者用端末のメールアドレス）に関するデータもユーザによるリモコン操作により入力可能となっている。フラッシュメモリ１０は、監視設定がオン、オフのいずれであるかを記憶していると共に、監視情報の送り先に関するデータも記憶している。
【００２９】
一方、監視者用端末では、図１に示すテレビジョン受像機１における電源のＯＮ／ＯＦＦ、チャンネル変更などの操作状況を監視する監視設定のオン、オフが、ユーザ操作により切り替え可能となっている。
【００３０】
まず、図１に示すテレビジョン受像機１は、図１に示すテレビジョン受像機１での監視設定がオンであるかを確認する（ステップＳ１０）。図１に示すテレビジョン受像機１での監視設定がオンでなければ（ステップＳ１０のＮＯ）、ステップＳ１０に戻り、図１に示すテレビジョン受像機１での監視設定がオンであるかの確認を続ける。一方、図１に示すテレビジョン受像機１での監視設定がオンであれば（ステップＳ１０のＹＥＳ）、図１に示すテレビジョン受像機１は監視者用端末に監視者用端末での監視設定がオン、オフのいずれであるかを報告するように要求し、監視者用端末からの報告を用いて監視者用端末での監視設定がオンであるかを確認する（ステップＳ２０）。
【００３１】
監視者用端末での監視設定がオンでなければ（ステップＳ２０のＮＯ）、ステップＳ２０に戻り、監視者用端末での監視設定がオンであるかの確認を続ける。一方、監視者用端末での監視設定がオンであれば（ステップＳ２０のＹＥＳ）、監視が承認され（ステップＳ３０）、監視が開始される（ステップＳ４０）。このように、図１に示すテレビジョン受像機１側、監視者用端末側双方で監視設定がオンになったときに初めて監視が開始されるので、被監視者のプライバシーを保護することができる。
【００３２】
なお、被監視者のプライバシーを保護する他の手法としては、例えば、図１に示すテレビジョン受像機１において、正しいパスワードを入力した後でないと監視情報の送り先（例えば、監視者用端末のメールアドレス）に関するデータを入力できないようにしたうえで、上述したステップＳ２０の動作を廃止する手法が考えられる。かかる手法では、図１に示すテレビジョン受像機１での監視設定がオンになり、図１に示すテレビジョン受像機１に監視情報の送り先に関するデータが入力されると、自動的に監視が承認され（ステップＳ３０）、監視が開始される（ステップＳ４０）。
【００３３】
図１に示すテレビジョン受像機１の安否確認動作について図３に示すフローチャートを参照して説明する。
【００３４】
監視が開始されると、図１に示すテレビジョン受像機１の制御部６は、内部時計９を用いて日時と関連づけて、リモコン受信部７からのコード信号、操作部８からのコード信号に基づいて、電源のＯＮ／ＯＦＦを監視する（ステップＳ１１０）。続いて、図１に示すテレビジョン受像機１の制御部６は、内部時計９を用いて日時と関連づけて、リモコン受信部７からのコード信号、操作部８からのコード信号に基づいて、チャンネル変更などの操作状況を監視する（ステップＳ１２０）。
【００３５】
図１に示すテレビジョン受像機１の制御部６は、ステップＳ１１０及びＳ１２０の監視結果に基づいて、どのチャンネルのテレビ番組をいつ視聴したかという視聴履歴を作成し、その視聴履歴をフラッシュメモリ１０に記憶させている。ステップＳ１３０において、図１に示すテレビジョン受像機１の制御部６は、フラッシュメモリ１０に記憶させている視聴履歴を分析し、視聴パターンの抽出を試み、抽出した視聴パターンが有る場合はそれをフラッシュメモリ１０に記憶させる。
【００３６】
視聴パターンの抽出例としては、直近の第１所定期間（例えば直近の５日間）において第１設定回数以上（例えば４回以上）、同じ時間帯に同じチャンネルのテレビ番組を視聴していれば、毎日視聴する番組として視聴パターンに含め、直近の第２所定期間の特定の曜日（例えば直近の８週間の月曜日）において第２設定回数以上（例えば６回以上）、同じ時間帯に同じチャンネルのテレビ番組を視聴していれば、毎週視聴する番組として視聴パターンに含める抽出手法が挙げられる。また、視聴パターンの抽出例としては、複数の曜日に渡って同じ時間帯に同じチャンネルのテレビ番組を累積して第１設定回数以上（例えば４回以上）視聴していれば、毎日視聴する番組として視聴パターンに含め、特定の曜日に同じ時間帯に同じチャンネルのテレビ番組を累積して第２設定回数以上（例えば６回以上）視聴していれば、毎週視聴する番組として視聴パターンに含める抽出手法が挙げられる。前者の抽出手法例は、後者の抽出方法例と異なり、一度視聴パターンに含まれたものでもその後視聴されなくなると自動的に視聴パターンから除かれるので、番組改編などに対応し易いという利点を有している。
【００３７】
なお、上記第１所定期間、上記第２所定期間、上記第１設定回数、上記第２設定回数は、それぞれフラッシュメモリ１０に記憶されており、ユーザによるリモコン操作により変更可能となっている。
【００３８】
続くステップＳ１４０では、図１に示すテレビジョン受像機１の制御部６は、視聴パターンの有無を確認する。なお、図１に示すテレビジョン受像機１では、視聴パターン（例えば、毎日８時〜９時１ｃｈというデータ）がユーザによるリモコン操作により入力可能となっており、ユーザによるリモコン操作により入力された視聴パターンが有る場合は制御部６がそれをフラッシュメモリ１０に記憶させる。
【００３９】
視聴パターンが有る場合（ステップＳ１４０のＹＥＳ）、ステップＳ１１０及びＳ１２０の監視結果に基づいて、視聴パターンに属するテレビ番組が視聴パターン通り視聴されているかを確認し、視聴パターン通り視聴されていなければ（ステップＳ１５０のＹＥＳ）、制御部６はネットワークインタフェース１１を介して例外状況が発生した旨を監視者用端末に送信する（ステップＳ１７０）。視聴パターン通り視聴されていなければ、独居者に異変が生じた可能性があるが、ステップＳ１７０の動作により、このような状況になった場合に、例外状況が発生した旨をタイムラグなく監視者用端末に通知することができる。
【００４０】
一方、視聴パターンが無い場合（ステップＳ１４０のＮＯ）や視聴パターンが有って視聴パターン通り視聴されている場合（ステップＳ１５０のＮＯ）、ステップＳ１６０に移行し、送信条件（例えば、指定時間での送信や電源のＯＮ／ＯＦＦ切り替えタイミングでの送信）に一致するかを確認する。
【００４１】
送信条件に一致していれば（ステップＳ１６０のＹＥＳ）、前回の定期報告から今回の定期報告迄の視聴履歴を定期報告として監視者用端末に送信する（ステップＳ１８０）。ステップＳ１８０の動作により、独居者に異変が生じていない場合でも、監視者が定期的に被監視者の状況を把握することができる。一方、送信条件に一致していなければ（ステップＳ１６０のＮＯ）、ステップＳ１１０に移行し、監視を続行する。
【００４２】
なお、上述した実施形態では本発明を地上デジタル放送受信対応のテレビジョン受像機に適用したが、本発明はこれに限らず、他のテレビ放送（例えばＢＳデジタル放送）を受信するテレビジョン受像機にも適用可能である。
【００４３】
また、図１に示すテレビジョン受像機１から監視者用端末に送信されるデータを、ネットワーク接続された専用サーバが蓄積し、専用サーバが蓄積したデータを統計処理するようにし、専用サーバによって統計処理されたデータを監視者用端末が閲覧することができるようにしてもよい。
【図面の簡単な説明】
【００４４】
【図１】は、本発明に係るテレビジョン受像機の概略構成例を示す図である。
【図２】は、図１に示すテレビジョン受像機を用いた安否確認の基本設定に関する動作を示すフローチャートである。
【図３】は、図１に示すテレビジョン受像機の安否確認動作を示すフローチャートである。
【符号の説明】
【００４５】
１  テレビジョン受像機
２  チューナ部
３  信号処理部
４  表示部
５  音声出力部
６  制御部
７  リモコン受信部
８  操作部
９  内部時計
１０  フラッシュメモリ
１１  ネットワークインタフェース
１２  アンテナ
【図１】
2009077351.tif 000003
【図２】
2009077351.tif 000004
【図３】
2009077351.tif 000005